(57)【要約】  本開示は、切断機器（１０）及びこのような機器のためのブレードセット（２０）に関する。ブレードセット（２０）は、動作しているとき皮膚対向面として機能するように配置される第１の壁部（１００）と、第２の壁部（１０２）であって、第１の壁部（１００）及び第２の壁部（１０２）がその間にカッタ（２４）を受け入れるように構成されるガイドスロット（９６）を画定するよう、第１の壁部（１００）から少なくとも部分的にオフセットされる、第２の壁部（１０２）と、第１の壁部（１００）及び第２の壁部（１０２）によって共同で形成される少なくとも１つの歯付き先導エッジ（３０）と、を有し、少なくとも１つの歯付き先導エッジ（３０）は複数の歯（３６）を有する、静止ブレード、並びに、主部（７８）と、主部（７８）から突出する少なくとも１つの歯付き先導エッジ（８０）と、を有するカッタ（２４）を有し、カッタ（２４）は、ガイドスロット（９６）内に移動可能に配置され、カッタ（２４）は、第２の壁部（１０２）に面するその底側に、少なくとも１つの歯付き先導エッジ（８０）に付随する隆起間隔装置（１４０）を有し、間隔装置（１４０）は、カッタ（２４）の少なくとも１つの歯付き先導エッジ（８０）の実質的に平らな底面（１３６）を第２の壁部（１０２）から離間させるように構成される。本開示はさらに、対応する製造方法に関する。
2018518219.tif 000002
【特許請求の範囲】
【請求項１】
切断機器のためのブレードセットであって、前記ブレードセットは、毛を切断するために移動方向に毛を通って動かされるように構成され、前記ブレードセットは：
−  静止ブレードであって、前記静止ブレードは、動作しているとき皮膚に面する壁として機能するように配置される第１の壁部と、第２の壁部であって、前記第１の壁部及び前記第２の壁部がその間にカッタを受け入れるように構成されるガイドスロットを画定するよう、前記第１の壁部から少なくとも部分的にオフセットされる、第２の壁部と、前記第１の壁部及び前記第２の壁部によって共同で形成される少なくとも１つの歯付き先導エッジと、を有し、前記少なくとも１つの歯付き先導エッジは複数の歯を有し、前記第１の壁部及び前記第２の壁部は、前記少なくとも１つの歯付き先導エッジの前端において接続され、それによって前記歯の先端部を形成する、静止ブレード；並びに
−  カッタであって、前記カッタは、主部、特に板金材料から得られる実質的に平らな主部と、前記主部から突出する少なくとも１つの歯付き先導エッジと、を有し、前記少なくとも１つの歯付き先導エッジは複数の歯を有し、前記カッタは、前記カッタと前記静止ブレードとの間の相対運動に際し、前記カッタの前記少なくとも１つの歯付き先導エッジが、前記静止ブレードの対応する歯と、切断動作でそれらの間に捕えられる毛の切断を可能にするよう協動するように、前記静止ブレードによって画定される前記ガイドスロット内に移動可能に配置される、カッタ、
を有し、
前記カッタは、前記第２の壁部に面するその底側に、前記少なくとも１つの歯付き先導エッジに付随する隆起間隔装置を有し、前記間隔装置は、前記カッタの前記少なくとも１つの歯付き先導エッジの実質的に平らな底面を前記第２の壁部から離間させるように構成される、
ブレードセット。
【請求項２】
前記隆起間隔装置は、前記カッタの前記底面に対して隆起されるとともに、前記静止ブレードの前記第２の壁部にくぼんだギャップ部分に関連付けられるその一部で、前記カッタのそれぞれの前記歯を前記くぼんだギャップ部分から離間させるよう、接触するように配置される、
請求項１に記載のブレードセット。
【請求項３】
前記ギャップ部分は、前記少なくとも１つの歯付き先導エッジの近くの前記第２の壁部の前記ガイドスロットに形成され、前記隆起間隔装置は、前記ギャップ部分で又は前記ギャップ部分に隣接して前記第２の壁部に接触するように配置される、
請求項２に記載のブレードセット。
【請求項４】
前記ギャップ部分は、少なくとも部分的に凹形に形成された内部窪みであり、前記ギャップ部分は、前記ガイドスロットと中に取り付けられる前記カッタの前記少なくとも１つの歯付き先導エッジとの間に残留ギャップを提供するように構成され、前記ギャップ部分は、毛、特に切断された毛部分を収容するように適合される、
請求項２又は３に記載のブレードセット。
【請求項５】
前記隆起間隔装置は、前記カッタの前記少なくとも１つの歯付き先導エッジの上面を、前記第１の壁部と、特に、前記静止ブレードの前記歯の脚部と、密接するよう付勢するように構成される、
請求項１乃至４のいずれか１項に記載のブレードセット。
【請求項６】
前記隆起間隔装置は、前記カッタの前記少なくとも１つの歯付き先導エッジの後方たわみを防ぐように構成される、
請求項１乃至５のいずれか１項に記載のブレードセット。
【請求項７】
前記隆起間隔装置は、膨らんだ形状又はドーム形状である、
請求項１乃至６のいずれか１項に記載のブレードセット。
【請求項８】
前記隆起間隔装置は、前記カッタの前記底面から突出する隆起した横方向に延びる間隔リッジ、好ましくは連続的な隆起した横方向に延びる間隔リッジを有し、前記横方向に延びる間隔リッジは、前記カッタのそれぞれの前記歯の歯基部に隣接して配置され且つ前記静止ブレードの前記第２の壁部に接触するように適合される、
請求項１乃至７のいずれか１項に記載のブレードセット。
【請求項９】
前記隆起間隔装置は、前記カッタの前記歯付き先導エッジにおける予め設定されたピッチに適合される一連の隆起間隔要素を有し、前記隆起間隔要素は、前記カッタの前記底面から突出し、前記隆起間隔要素は、前記静止ブレードの前記第２の壁部と接触するように適合される、
請求項１乃至８のいずれか１項に記載のブレードセット。
【請求項１０】
前記隆起間隔要素は、前記カッタの前記歯に配置され、前記隆起間隔要素のそれぞれは、それぞれの前記歯に割り当てられる、
請求項９に記載のブレードセット。
【請求項１１】
前記静止ブレードは、一体成形金属−プラスチック複合静止ブレードであり、前記第１の壁部は、金属材料から少なくとも部分的に作られ、前記第２の壁部は、プラスチック材料から少なくとも部分的に作られる、
請求項１乃至１０のいずれか１項に記載のブレードセット。
【請求項１２】
第１の先導エッジ及び第２の先導エッジが設けられ、前記第１の先導エッジ及び前記第２の先導エッジのそれぞれは、前記カッタ及び前記静止ブレードのそれぞれの前記第１及び前記第２の先導エッジによって共同で形成され、前記第１の先導エッジ及び前記第２の先導エッジは、互いに離間され且つ前記ブレードセットの対向する長手方向端部に配置され、第１の隆起間隔装置が前記第１の先導エッジに付随し、第２の隆起間隔装置が前記第２の先導エッジに付随する、
請求項１乃至１１のいずれか１項に記載のブレードセット。
【請求項１３】
凹構成が、前記底面の反対側である前記カッタの上面に設けられ、前記凹構成及び前記隆起間隔装置は、対応する様式で一体に形成される、
請求項１乃至１２のいずれか１項に記載のブレードセット。
【請求項１４】
前記隆起間隔装置は、前記カッタの前記底面における材料堆積によって、特に堆積溶接によって形成される、
請求項１乃至１２のいずれか１項に記載のブレードセット。
【請求項１５】
前記隆起間隔装置は、少なくとも１つの別個の間隔部品を前記カッタに接合することによって形成される、
請求項１乃至１２のいずれか１項に記載のブレードセット。
【発明の詳細な説明】
【技術分野】
【０００１】
本開示は、（毛）切断機器、特にこのような機器のためのブレードセットのカッタ及び静止ブレードに関する、本開示はさらに、対応する製造方法に関する。
【背景技術】
【０００２】
特許文献１は、切断機器及び切断機器の対応するブレードセットを開示している。ブレードセットは、静止ブレード及びカッタを有し、前記カッタは、毛を切断するために、静止ブレードに対して往復駆動されることができる。
【０００３】
体毛を切断する目的のために、剃刀と、ヘアトリマ又はクリッパとの基本的に２つの慣習的に区別されるタイプの電動電気機器が存在する。一般に、剃刀は、シェービングするために、すなわち、ひげそり跡（stubbles）なしの滑らかな皮膚を得るために、皮膚のレベルで体毛をスライス（slicing）するために使用される。ヘアトリマは、典型的には、皮膚から選択された距離で毛を切断するために、すなわち毛を所望の長さに切断するために使用される。適用の違いは、いずれかの機器に実装された切断ブレード装置の異なる構造及び構成に反映される。
【０００４】
一般的な電気カミソリは、毛を皮膚の上の所望の可変長に切断する、すなわち正確なトリミング操作に特に適していない。同様に、一般的なヘアトリマは、シェービングに特に適していない。さらに、組み合わされたシェービング及びトリミング装置は、それらが基本的に２つの切断ブレードセット及びそれぞれの駆動機構を必要とするので、幾つかの欠点を示す。
【０００５】
上記特許文献１は、その静止ブレードの第１の部分が、シェービングのために使用されるとき、皮膚に面するカッタの側部に配置され、静止ブレードの第２の部分が、使用されるとき、皮膚から離れた方に面するカッタの側部に配置されるように、カッタを収容する静止ブレードを有するブレードセットを設けることによって、これらの欠点のうちのいくつかに取り組んでいる。さらに、歯付き切断エッジでは、静止ブレードの第１の部分及び第２の部分が接続され、それによって、カッタのそれぞれの歯を覆う複数の静止刃を形成している。その結果、カッタは静止ブレードによって保護される。
【０００６】
特許文献２は、互いに対して揺動運動をもたらされる外側プレート及び内側プレートを有するヘアクリッパを開示していることに留意されたい。このヘアクリッパの外側プレートは、内側プレートの鋸歯状又は歯付きエッジの下に回されたフランジを有している。外側プレートは、その折り畳みエッジに開口部を有する。これらの開口部のエッジは、毛を切断するために内側プレートの歯付きエッジと協働する。特許文献２は、開示されたヘアクリッパの動作中に、外側プレートの内側に曲げられたフランジが、開示されたヘアクリッパの動作中に皮膚から離れて向けられる内側プレートの面と弾性的に係合することを開示している。
【０００７】
しかし、毛切断装置及びそれぞれのブレードセットの改良が依然として必要である。これは、特に、ユーザ快適性に関連する側面、性能関連の側面、及び製造関連の側面に関係し得る。製造関連の側面は、連続生産製造又は大量生産のための適合性に関係し得る。
【先行技術文献】
【特許文献】
【０００８】
【特許文献１】ＷＯ  ２０１３／１５０４１２  Ａ１
【特許文献２】ＵＳ  ２，１５１，９６５  Ａ
【発明の概要】
【０００９】
本開示の目的は、シェービング動作及びトリミング動作の両方において快適なユーザ体験に寄与し得る代替ブレードセット、特にそのカッタブレードを提供することである。より好ましくは、本開示は、例えば、先に論じたような既知の従来技術の毛切断ブレードに固有の少なくとも幾つかの欠点に対処することができる。好ましくは切断作業に必要な時間を短縮しながら、改善された操作性能を示すことができるブレードセットを提供することはさらに有利である。適切な対応する製造アプローチを提示することがさらに望ましい。
【００１０】
本開示の第１の態様によれば、切断機器のためのブレードセットが提示され、前記ブレードセットは、毛を切断するために移動方向に毛を通って動かされるように構成され、前記ブレードセットは：
−  静止ブレードであって、動作しているとき皮膚に面する壁として機能するように配置される第１の壁部と、第２の壁部であって、第１の壁部及び第２の壁部がその間にカッタを受け入れるように構成されるガイドスロットを画定するよう、第１の壁部から少なくとも部分的にオフセットされる、第２の壁部と、第１の壁部及び第２の壁部によって共同で形成される少なくとも１つの歯付き先導エッジと、を有し、少なくとも１つの歯付き先導エッジは複数の歯を有し、第１の壁部及び第２の壁部は、少なくとも１つの歯付き先導エッジの前端において接続され、それによって歯の先端部を形成する、静止ブレード；並びに
−  カッタであって、主部、特に板金材料から得られる実質的に平らな主部と、主部から突出する少なくとも１つの歯付き先導エッジと、を有し、少なくとも１つの歯付き先導エッジは複数の歯を有し、カッタは、カッタと静止ブレードとの間の相対運動に際し、カッタの少なくとも１つの歯付き先導エッジが、静止ブレードの対応する歯と、切断動作でそれらの間に捕えられる毛の切断を可能にするよう協動するように、静止ブレードによって画定される前記ガイドスロット内に移動可能に配置される、カッタ、
を有し、
カッタは、第２の壁部に面するその底側に、少なくとも１つの歯付き先導エッジに付随する隆起間隔装置（elevated  spacing  arrangement）を有し、間隔装置は、カッタの少なくとも１つの歯付き先導エッジの実質的に平らな底面を第２の壁部から離間させるように構成される。
【００１１】
この態様は、静止ブレードの第２の壁部が、一方では、第１の壁部がユーザの皮膚に非常に近い毛の切断ができるようかなり薄い形状にされ得るように、ブレードセットを補強し（strengthen）且つ硬く（stiffen）し得るという洞察に基づく。さらに、第２の壁部は、カッタの少なくとも１つの歯付き先導エッジが毛切断作業の間に著しくたわめられる（deflected）ようになるのを防止するように、カッタのためのリテーナとして働き得る。静止ブレードとカッタが協働して毛を切断する静止ブレードのそれぞれの先導エッジに入る毛は、実際には、静止ブレードの第１の壁部から離れる方にカッタを付勢する又は持ち上げることがあることが観察されている。言い換えれば、カッタの歯のそれぞれの切断エッジは、静止ブレードの歯の対応する切断エッジから離れてたわめられ且つ動かされる可能性がある。別の方法では、静止ブレード、又はガードとカッタの両方でさえ、切断作用のためにたわめられることがある。したがって、本開示は、比較的薄肉の静止ブレードを有する実施形態にも適用可能であり、カッタは、二重壁静止ブレード、特にその第１の壁部と比較して、かなり硬い（stiff）。本開示の幾つかの態様によるブレードセットの設計目標は、皮膚に近い毛を切断するために第１の壁部が特に薄くなることを可能にすることである。その結果、カッタと静止ブレードの第１の壁部との間の切断ゾーンでそれぞれの荷重が発生するとき、カッタではなく、主に静止ブレードが、たわめられるとともに曲げられる傾向がある。
【００１２】
結果として、毛切断性能が損なわれることがある。さらに、カッタと静止ブレードの歯のそれぞれの切断エッジの間の隙間又はギャップが大きくなり過ぎるとき、毛は、切断されるのではなく引っ張られることがある。カッタの歯付き先導エッジ、又は−場合によっては−静止ブレードの、またはさらに両方の構成要素の過度のたわみを回避するために、一般的にそうであるように、隆起間隔装置が設けられることができ、これは、第２の壁部に接触し、且つ、動作中にカッタが過度に曲げられる又は変形させられることを防止するように構成される。隆起間隔装置は、カッタの歯が固定ブレードの対応する歯から離れて少なくとも部分的に持ち上げられることを基本的に含む、カッタの歯付き先導エッジの後方へのたわみを防止するように配置され得る。ユーザの快適性はこのようにして高められることができる。さらに、望ましくない毛の引っ張りに起因する皮膚の刺激が、著しく低減され得る。これは、勿論、付勢されていない状態において、少なくとも小さな（垂直の）組立クリアランスが切断エッジに設けられることを含み得る。言い換えれば、隆起間隔装置は、カッタの歯を必ずしも静止ブレードの第１の壁部及び第２の壁部と永久的に接触させるように付勢するものではない。
【００１３】
本明細書で使用されるとき、カッタは可動カッタブレードと称されることがある。本明細書で使用されるとき、第１の壁部は、第１の壁部分と称されることがある。本明細書で使用される場合、第２の壁部は第２の壁部分と称されることがある。本明細書で使用されるとき、上側又は上面は、一般に、毛切断機器が動作しているとき、皮膚に面する側部又は表面と見なされることができる。その結果、底側又は底面は、切断機器が動作しているときに、上側から離れる方に面し且つ皮膚から離れる方に面する側部又は面と見なすことができる。
【００１４】
ブレードセットの１つの実施形態では、隆起間隔装置は、カッタの前記底面に対して隆起されるとともに、静止ブレードの第２の壁部に、くぼんだギャップ部分に関連付けられるその一部で、カッタのそれぞれの歯をくぼんだギャップ部分から離間させるよう、接触するように配置される。一般に、くぼんだギャップ部分は、切断された毛部分が静止ブレードの第２の壁部とカッタとの間にくっつかないように切断された毛部分を収容するためのくぼんだ溝（recessed  channel）とみなされ得る。ある程度までは、くぼんだ溝は、カッタの底側から切断された毛の部分を排出又は移動させるように構成される排出チャネルと称されることができる。
【００１５】
この実施形態のさらなる改良では、ギャップ部分は、少なくとも１つの歯付き先導エッジの近くの第２の壁部のガイドスロットに形成され、隆起間隔装置は、ギャップ部分で又はギャップ部分に隣接して第２の壁部に接触するように配置される。
【００１６】
隆起間隔装置は、ギャップ部分を空に（clear）（又は、ブロックしないように）保つように構成されることが好ましい。これは、隆起間隔装置が、ギャップ部分から長手方向にオフセットされたカッタのある場所に設けられていることを含み得る。代替的には、隆起間隔装置は、ギャップ部分に面するカッタの領域に設けられ得る。この場合、隆起間隔装置が、隆起間隔装置の横方向の広がりの点で、中断された又は不連続な様式で構成されることが好ましい場合がある。言い換えれば、隆起間隔装置は、カッタの歯付き先導エッジの隣接する歯を橋渡し又は接続しないことが好ましい。カッタの底側が必ずしも毛切断動作に直接関与していないとしても、特に静止ブレードの第２の壁部が適切なギャップ部分を備えるとき、切断された毛部分の収容部が、又は排出部さえもが、底部側に設けられ得る。
【００１７】
さらに他の修正では、ギャップ部分は、少なくとも部分的に凹形に形成された内部窪みであり、ギャップ部分は、ガイドスロットと中に取り付けられるカッタの少なくとも１つの歯付き先導エッジとの間に残留ギャップを提供するように構成され、ギャップ部分は、毛、特に切断された毛部分を収容するように適合される。好ましくは、ギャップ部分は、切断された毛部分を収容するように配置される。
【００１８】
一方で、ギャップ部分は、切断された毛部分の排出及び除去を容易にするために有利である。しかし、他方で、凹んだギャップ部分は、基本的に、作動中に変形される（例えば、後方に曲げられる）ときに、カッタの歯付き先導エッジによって入ることができる空間を提供する。
【００１９】
上に示されたように、カッタのたわみ又は変形は、切断力に起因すると考えられ得る。特に、より多くの毛が同時に捕捉され且つ切断されるとき、それぞれの切断力及び対応する反力は増加し、これは、カッタの歯及び／又は静止ブレードの第１の壁部の少なくとも部分的に発生する浮き上がりを引き起こし得る。これは、毛が、適切に切断されることなく、静止ブレードの歯（その第１の壁部における）とカッタの歯との間に締め付けられることさえも含み得る。これは、それぞれの毛が、基本的には、滑らかに切断されるのではなく、ユーザの皮膚で引っ張られるので、ユーザへの皮膚の刺激及び不快な害を引き起こす可能性がある。
【００２０】
他の実施形態では、隆起間隔装置は、カッタの少なくとも１つの歯付き先導エッジの上面を、第１の壁部と、特に、静止ブレードの歯の脚部と、密接するよう付勢するように構成される。したがって、それぞれの切断エッジは、間に捕えられる毛を安全に切断するように、密接し且つきつい接触にあることができる。
【００２１】
さらに他の実施形態では、隆起間隔装置は、カッタの少なくとも１つの歯付き先導エッジの後方たわみを防ぐように構成される。本明細書で使用されるとき、後方たわみは、歯部分、特に歯の先端が、静止ブレードの第１の壁部の対応部分から離れて持ち上げられる又は曲げられるところのたわみと見なされることができる。その結果、カッタの歯は、少なくとも部分的に、静止ブレードの対応する歯との係合から外されることができる。したがって、カッタの歯付き先導エッジの後方向きのたわみの防止又は少なくとも著しい制限は、切断性能をさらに向上させる。
【００２２】
隆起間隔装置が膨らんだ形状（bulge-shaped）又はドーム形状であることが一般的に好ましいことがある。これは、特に、横方向に垂直な平面で見た断面に適用することができる。一般に、隆起間隔装置は、凸形状を備えていてもよい。隆起間隔装置の凸形状は、隆起間隔装置と静止ブレードの第２の壁部との間の滑り接触を容易にする。
【００２３】
特に、隆起間隔装置が複数の中断された部分を含む場合、長手方向に垂直な平面で見た場合のその断面も、バルジ形状またはドーム形状、またはむしろ凸形状であってよい。
【００２４】
さらに他の実施形態では、隆起間隔装置は、カッタの底面から突出する隆起した横方向に延びる間隔リッジ（spacing  ridge）を有する。好ましくは、間隔リッジは、連続的な隆起した横方向に延びる間隔リッジである。横方向に延びる間隔リッジは、好ましくは、カッタのそれぞれの歯の歯基部（tooth  bases）に隣接して配置され且つ静止ブレードの第２の壁部に接触するように適合される。言い換えれば、間隔リッジは、歯自体に必ずしも存在するとは限らず、歯に近接しているカッタの部分に存在する。結果として、ブレードセットの毛除去能力は、間隔装置が、カッタの歯をその底側で橋渡し又は接続しないので、維持される。その結果、それぞれの実施形態が、第２の壁部における凹状の毛収容又は毛排出ギャップ部分を実装するとき、ギャップ部分は、切断された毛部分を収容するために空に保たれる。間隔リッジがカッタの歯付き先導エッジからカッタの主部に向かって間隔を置いて配置さることが一般に好ましい。
【００２５】
さらに他の実施形態では、隆起間隔装置は、カッタの歯付き先導エッジにおける予め設定されたピッチに適合される一連の隆起間隔要素を有する。一般に、隆起間隔要素は、カッタの底面から突出し得る。隆起間隔要素は、静止ブレードの第２の壁部と接触するように適合される。好ましくは、第２の壁部に、隆起間隔要素によって接触されることができる窪んだ横方向に延びる面が設けられる。さらに、幾つかの実施形態では、長手方向に整列された複数の隆起間隔要素が設けられ、それぞれの一連のもの（series）が横方向に延びている。一般的には、連続に延びない方法で間隔装置を配置することは、間隔装置がその横方向の延長部で中断され、これはその切断された毛部分がそれぞれの空間に入ることができることを可能にするという利点を有し得る。これにより、毛除去能力はさらに向上し得る。
【００２６】
上述の実施形態の改良では、隆起間隔要素は、カッタの歯に配置され、隆起間隔要素のそれぞれは、それぞれの歯に割り当てられる。幾つかの実施形態では、カッタの歯のそれぞれは、それぞれの隆起間隔要素を備える。しかし、代替実施形態では、必ずしもカッタの各歯が、それぞれの隆起間隔要素を備える必要はない。例として、隆起間隔要素は、ドーム状に又は球状のセグメントとして構成されてもよい。隆起間隔要素が、カッタの歯の横方向及び長手方向の広がり（extension）を越えて突出しないことがさらに好ましい。したがって、隆起間隔要素は切断又は剪断作用を妨害しない。隆起間隔要素が歯に設けられるとき、第１の壁部からの歯の持ち上げが、さらにより大きい範囲で防がれ得る。言い換えれば、それぞれの隆起間隔要素がカッタの長手方向端部に隣接して配置されるとき、隆起間隔装置の「梃子作用（leverage）」がさらに増加し得る。
【００２７】
さらに他の実施形態では、静止ブレードは、一体成形金属−プラスチック複合静止ブレードであり、第１の壁部は、金属材料から少なくとも部分的に作られ、第２の壁部は、プラスチック材料から少なくとも部分的に作られる。第１の壁部は、金属部品によって実質的に規定されてよい。第２の壁部は、プラスチック部品によって、少なくとも実質的に、好ましくは全体的に、規定されてよい。
【００２８】
一般に、静止ブレードは、予め定められた方法でカッタを収容するように構成され得る。特に、カッタは、静止ブレードに直接受け入れられることができ、すなわち、ガイドスロットに追加の付勢要素又はばね要素を取り付ける必要はない。より具体的には、カッタは、ガイドスロット内にスライド可能に受け入れられ得る。対照的に、従来のブレードセット構成は、典型的には、カッタを静止ブレードに密着させるように付勢する追加の付勢要素、例えばばね要素を含む。
【００２９】
ガイドスロット内のカッタの規定された嵌合は、規定されたすきまばめ（clearance  fit）、中間ばめ（transition  fit）及び締まりばめ（interference  fit）を含み得る。規定された嵌合は、規定されたクリアランスと、ガイドスロットにおけるかなり厳しい公差を提供することによって達成され得る。
【００３０】
皮膚に密接し得るとともに、毛を切断するためにカッタと協働するように基本的に構成される第１の壁部は、好ましくは、かなりの剛性及び堅牢性を有する。第１の壁部は、少なくとも部分的に金属材料、特に、例えば、ステンレス鋼のような鋼材から作られ得る。したがって、第１の壁部は、好ましくは、毛を皮膚の近くで切断することを可能にするように薄い厚さを有するとしても、十分な強度を提供し得る。さらに、第２の壁部は、静止ブレードをさらに強化するために、典型的には皮膚から離れて面する側に加えられ得る。第１の壁部及び第２の壁部はガイドスロットを形成するように協働し得る。
【００３１】
好ましくは、静止ブレードは、基本的に同時に、プラスチック材料を形成すること及びプラスチック材料を金属材料に接合することを含む複合製造プロセスから得られ得る。静止ブレードは、第１の壁部と第２の壁部とからなること、すなわち、静止ブレードを達成するためにさらなる必須構成要素を取り付ける必要がないことが特に好ましい。一般に、静止ブレードは、２つの構成要素が一体に且つ固定して相互接続された２構成要素部品と見なされ得る。
【００３２】
この実施形態の改良では、第１の壁部及び第２の壁部は、特に付加的な付勢要素なしに、カッタをそれらの間に直接受け入れるように構成される。結果として、製造コスト及び組立コストが低減され得る。
【００３３】
上記実施形態の更なる改良では、金属構成要素は、作動中にそれらの間に捕えられる毛を切断するために、カッタのそれぞれの歯の切断エッジと協働するように構成される切断エッジを有する歯ステム部分をさらに含む。したがって、第１の壁部の切断エッジは、その歯ステム部分の金属構成要素に形成され得る。
【００３４】
上記実施形態のさらなる改良では、金属構成要素は、少なくとも１つのアンカー要素（anchoring  element）、特に、それぞれの歯ステム部から延びる少なくとも１つのポジティブフィットアンカー要素（positive-fit  anchoring  element）を有し、プラスチック構成要素及び金属構成要素は、少なくとも１つのアンカー要素で接続される。少なくとも１つのアンカー要素は、プラスチック構成要素のプラスチック材料によって係合され得るか又はプラスチック材料のプラスチック材料で充填され得るロック形状（locking  geometry）を提供し得る。一般に、少なくとも１つのアンカー要素は、歯ステム部分の前端から長手方向に突出し得る。
【００３５】
１つの実施形態では、少なくとも１つのアンカー要素は、第１の壁部の上面に対して傾斜しており、特に後方に曲がっている。さらなる実施形態では、少なくとも１つのアンカー要素は、特に上から見たとき、Ｔ字形状、Ｕ字形状又はＯ字形状である。１つの実施形態では、少なくとも１つのアンカー要素は、第１の壁部の上面から後方にオフセットされている（offset）。これは、プラスチック構成要素が少なくとも１つのアンカー要素の上面に接触し且つこれを覆うことを可能にし得る。
【００３６】
１つの実施形態では、歯の先端はプラスチック構成要素によって形成され、プラスチック構成要素は、金属構成要素の歯ステム部分と歯の先端との間の接合領域においてポジティブフィットアンカー要素とさらに係合する。その結果、プラスチック構成要素は、金属構成要素にしっかりと接合されることができ、同時にフォームフィット（form-fit）又はポジティブフィットの方法で金属構成要素と接続され得る。
【００３７】
好ましくは、第２の壁部は、少なくとも実質的にプラスチック材料から作られる。したがって、第２の壁部は、静止ブレードを強化するとともにガイドスロット内に移動可能に受け入れられるカッタの適切な案内を提供するように、適切に形成及び成形され得る。例えば、ギャップ部分は、ほとんど努力することなく第２の壁部に形成され得る。一般に、第２の壁部は、非平坦又はむしろ３次元の形状及び延長を含み得る。第２の壁部は、一方では、追加の付勢要素の必要なしに、すなわちバネ等の必要なしに、カッタが、第１の壁部と第２の壁部との間に規定されたすきまばめ様式で受け入れられるように配置されることが一般的に好ましい。この目的のために、第２の壁部は、カッタの底側又は底面に接触する内側に突出した部分を有し得る。しかし、カッタの歯付き先導エッジに隣接して、対応する凹部又は凹所が、ギャップ部分を画定するために形成され得る。好ましくは、ギャップ部分は、切断された毛部分の排出又は収容を容易にする横方向に延びるギャップ部分である。
【００３８】
ブレードセットのさらに他の実施形態では、第１の先導エッジ及び第２の先導エッジが設けられ、これらのそれぞれは、カッタ及び静止ブレードのそれぞれの第１及び第２の先導エッジによって共同で形成され、第１の先導エッジ及び第２の先導エッジは、互いに離間され且つブレードセットの対向する長手方向端部に配置され、第１の隆起間隔装置が第１の先導エッジに付随し、第２の隆起間隔装置が第２の先導エッジに付随する。
【００３９】
その結果、ストロークの２つの方向が毛を切断するために使用されることができる。さらに、それぞれのブレードセットが取り付けられる切断機器は、到達困難な身体部分での毛のグルーミングを容易にするために、異なる向きで使用されることができる。さらに、切断機器は、切断部位でのユーザの全体を見渡すことを改善し得る異なる構成で適切に配向されるとともに案内されることができる。
【００４０】
さらに他の実施形態では、凹構成（depressed  arrangement）が、底面の反対側であるカッタの上面に設けられ、凹構成及び隆起間隔装置は、対応する方法で一体に形成される。言い換えると、適切なツール（tool）が、本質的にカッタの反対側に隆起部分の形成を含む窪み又は掘り下げること（deepening）を形成するように、基本的に平坦に延びるカッタに対して押し付けられ得る。したがって、規定された窪んだ構成を形成することによって、間隔装置が仲介して形成される（mediately  shaped）ことができる。例として、この実施形態による隆起間隔装置は、リブ付け（ribbing）加工又はビード加工によって形成されることができる。さらに、適切なコイニング（coining）加工及びスタンピング加工が、窪んだ構成及び対応する隆起間隔装置を形成するために、用いられることができる。この実施形態の場合と同様に、隆起間隔装置を形成するために追加の部品が必要とされない。さらに、カッタは、それぞれの一体化されたリブを画定することによって、補強されることができる。好ましくは、鋭利なカッタの歯のエッジの元の基本的に平坦な全体形状は、統合された凹部／隆起構成の形成の過程で維持される。これは、凹部が形成されるとき中間カッタが固定的にクランプされることを含む。代替的には、一体化した凹部／隆起構成を形成した後に、鋭利なカッタの歯のエッジの平坦な全体形状を回復させるために、測定及び／又は再成形プロセスが提供されることができる。
【００４１】
代替実施形態では、隆起間隔装置は、その底側における材料堆積（material  deposition）によって形成される。例として、隆起間隔装置は、堆積溶接によって形成され得る。幾つかの実施形態では、隆起間隔装置は、プラスチック材料から形成され得る。したがって、これらの実施形態では、隆起間隔装置は、カッタの底側又は底面に成形され（molded）得る。したがって、最終状態では、カッタも、金属プラスチック複合部品と見なされ得る。インサート成形、アウトサート成形又はオーバーモールディングのような適切な製造方法が利用され得る。
【００４２】
他の代替実施形態では、隆起間隔装置は、少なくとも１つの別個の間隔部品をカッタに接合することによって形成される。例えば、間隔リッジを実装する実施形態を参照すると、対応するバーまたはロッドが、底面に配置され、例えば溶接又ははんだ付けによってそれに接合されることができる。
【００４３】
別の代替実施形態では、隆起間隔装置は、例えば９０°（度）だけ、カッタの規定された部分を曲げることによって形成される。カッタの主部の底面を越えて突出する曲げタブ（Bent  tabs）が形成されることができる。好ましくは、タブのそれぞれの部分は、隣接する歯の間に配置される。
【００４４】
本発明の好ましい実施形態は従属請求項に規定されている。請求項に記載された方法は、請求項に記載された装置及び従属請求項に規定されたのと同様の及び／又は同一の好ましい実施形態を有することが理解されるべきである。
【図面の簡単な説明】
【００４５】
本開示の幾つかの態様は、以下に記載される実施形態を参照して明らかになるであろう。
【００４６】
【図１】ブレードセットの実施形態を備える例示の電気切断機器の概略斜視図を示す。
【図２】ブレードセットを有する切断ヘッドの概略斜視上面図を示す。
【図３】図２に示されるブレードセットの分解斜視底面図である。
【図４】図２に示されるブレードセットの静止ブレードの部分上面図であり、静止ブレードの隠されたエッジが説明目的のために示されている。
【図５】図３に示される静止ブレードの金属構成要素の部分斜視底面図である。
【図６】図４の線ＶＩ−ＶＩに沿って取られた図４に示された静止ブレードの断面図である。
【図７】図４の線ＶＩＩ−ＶＩＩに沿って取られた図４に示された静止ブレードの部分断面図である。
【図８】図６に示された静止ブレードのその先導エッジ部分における拡大詳細図である。
【図９】図８の図に基本的に対応する静止ブレードの金属構成要素の拡大詳細図である。
【図１０】請求項に開示された本発明を含まないブレードセットの拡大部分断面側面図である。
【図１１】図１０のブレードセットのさらに拡大された部分断面側面図であり、カッタは変形された状態で示されている。
【図１２】カッタの簡略化された部分斜視底面図である。
【図１３】隆起間隔装置を実装するカッタを有する静止ブレードの部分断面側面図である。
【図１４】図１３に示されるカッタの簡略化された部分斜視底面図である。
【図１５】ブレードセットのさらに他の実施形態の側部の部分断面であり、カッタは、隆起間隔装置の他の実施形態を実装する。
【図１６】図１５に示されるカッタの簡略化された部分斜視底面図である。
【図１７】ブレードセットのカッタのための隆起間隔装置の例示的な実施形態の簡略化された部分断面側面図である。
【図１８】ブレードセットのカッタのための隆起間隔装置の他の実施形態の簡略化された部分断面側面図である。
【図１９】ブレードセットのカッタのための隆起間隔装置の他の実施形態の簡略化された部分断面側面図である。
【図２０】ブレードセットのカッタのための隆起間隔装置の他の実施形態の簡略化された部分断面側面図である。
【図２１】ブレードセットのカッタのための隆起間隔装置の他の実施形態の簡略化された部分断面側面図である。
【図２２】ブレードセットのカッタのための隆起間隔装置の他の実施形態の簡略化された部分断面側面図である。
【発明を実施するための形態】
【００４７】
図１は、毛切断機器１０、特に電気毛切断機器１０の例示的な実施形態を簡略化した斜視図で概略的に示す。切断機器１０は、ハウジング１２、ハウジング１２内に破線のブロック１４によって示されたモータ、及びハウジング１２内に破線のブロック１６によって示された駆動機構又はドライブトレーン（drivetrain）を有し得る。モータ１４に電力を供給するために、少なくとも切断機器１０の幾つかの実施形態では、ハウジング１２内に破線のブロック１７によって示された、例えば、充電式バッテリ、交換可能なバッテリ等のような、電池が設けられ得る。しかし、幾つかの実施形態では、切断機器１０は、電源を接続するための電源ケーブルをさらに備えていてもよい。電源コネクタが、（内部）電池１７に加えて又はその代わりに設けられてもよい。
【００４８】
切断機器１０は、切断ヘッド１８をさらに含み得る。切断ヘッド１８において、ブレードセット２０が毛切断機器１０に取り付けられ得る。ブレードセット２０は、切断動作を可能にするよう駆動機構又はドライブトレーン１６を介してモータ１４によって駆動され得る。切断運動は、一般に、例えば図３により詳細に示されるとともに説明される静止ブレード２２と可動カッタブレード又はカッタ２４との間の相対運動と見なされることができ、以下に説明されるとともに論じられる。一般に、ユーザは、切断機器１０を把持し、保持し、毛を切断するために移動方向２８に毛を通って切断機器１０を手動で案内し得る。切断機器１０は、一般に、手で案内され、手で操作される電動装置と見なされ得る。さらに、切断ヘッド１８又は、より詳細には、ブレードセット２０は、図１の参照数字２６によって示される湾曲した両矢印を参照して、枢動可能（pivotable）な方法で切断機器１０のハウジング１２に接続されることができる。幾つかの実施形態では、切断機器１０、より具体的には、ブレードセット２０を含む切断ヘッド１８は、皮膚で成長する毛を切断するために、皮膚に沿って動かされることができる。毛を皮膚の近くで切断するとき、基本的には、シェービング動作が、皮膚のレベルで毛を切断する又は刈り取ることを目的として、実行されることができる。しかし、ブレードセット２０を含む切断ヘッド１８が皮膚に対して所望の距離の経路に沿って通過するクリッピング（又はトリミング）動作も想定され得る。
【００４９】
毛を通って案内される又は動かされるとき、ブレードセット２０を含む切断機器１０は、典型的には、図１の参照数字２８で示される共通の移動方向に沿って動かされる。これに関連して、毛切断機器１０が典型的には手動で案内されて動かされることを考えると、移動方向２８は、毛切断機器１０及びブレードセット２０を取り付けられたその切断ヘッド１８の向きに対して、必ずしも固定された定義及び関係を有する正確な幾何学的基準として解釈される必要がないことは言及する価値がある。すなわち、皮膚において切断されることになる毛に対する毛切断機器１０の全体的な向きは、幾分不安定であると解釈されることができる。しかし、説明のために、（仮想）移動方向２８は、毛切断機器１０の構造的特徴を説明するための手段として以下で役立ち得る座標系の主中心面（main  central  plane）に対して平行（又はほぼ平行）であるとほぼ仮定することができる。
【００５０】
参照を容易にするために、座標系がここでは幾つかの図面に示されている。例として、デカルト座標系Ｘ−Ｙ−Ｚが図１に示されている。それぞれの座標系の軸Ｘは、本開示の目的のために、一般的に長さに関連付けられる一般的な長手方向に延びる。座標系の軸Ｙは、本開示の目的のために、幅に関連付けられる横（又は横断（transverse））方向に延びる。座標系の軸Ｚは、高さ（又は垂直）方向に延びており、これは、少なくとも幾つかの実施形態では、一般的に垂直方向として、例示目的で参照され得る。言うまでもなく、座標系Ｘ−Ｙ−Ｚの、毛切断機器１０の特徴的な特徴及び／又は実施形態との関連付けは、説明目的のために主に提供されており、限定する方法で解釈されるものではない。当業者が、別の実施形態に直面するとき、本明細書で提供される座標系を、異なる向きを含むそれぞれの図及び説明に容易に変換及び／又は移動させることができることを理解されるべきである。本開示の目的のために、座標系Ｘ−Ｙ−Ｚは、ブレードセット２０を含む切断ヘッド１８の主な方向及び向きと概ね整列されることがさらに言及される価値がある。
【００５１】
図２は、図１に示されるような毛切断機器に取り付けられ得る切断ヘッド１８の例示的な実施形態の斜視上面図を示す。切断ヘッド１８は、既に上述したようなブレードセット２０を備える。ブレードセット２０は、静止ブレード２２及びカッタ２４（図２では隠されている）を備える。これに関連して、図３に示されるブレードセット２０の分解図がさらに参照される。静止ブレード２２及びカッタ２４は、互いに対して動かされるように構成され、それにより、それぞれの切断エッジで毛を切断する。
【００５２】
静止ブレード２２は、皮膚に面する表面と見なされ得る上面３２をさらに有する。典型的には、シェービング装置として動作するとき、毛切断機器１０は、上面３２が基本的に皮膚に対して平行に又はわずかに傾けられるような方法で配向される。しかし、頂面３２が必ずしも皮膚に平行でない、又は、少なくとも皮膚に対して実質的に平行でない、代替の動作モードも考えられ得る。例えば、毛切断機器１０はさらに、髭のスタイリング又は、より一般的には、ヘアスタイリングに使用され得る。
【００５３】
しかし、主に説明のために、毛切断機器１０の上面３２及び同様に配向された部分及び構成要素は、以下では皮膚に面する構成要素及び部分と見なされ得る。その結果、反対の方法に配向された要素及び部分は、開示の目的で、後方に配向された底部要素及び部分として、又はむしろ以下では皮膚から離れる方に面する要素及び部分として見なされ得る。
【００５４】
上に既に示されたように、静止ブレード２２は、少なくとも１つの歯付き先導エッジ３０を画定し得る。図２に示されるように、静止ブレード２２は、長手方向Ｘに互いにオフセットされる第１の先導エッジ３０ａ及び第２の先導エッジ３０ｂを画定し得る。少なくとも１つの歯付き先導エッジ３０ａ、３０ｂは、概して、横方向Ｙに延び得る。上面３２は、長手方向Ｘ及び横方向Ｙによって規定される平面にほぼ平行な表面と見なされ得る。少なくとも１つの歯付き先導エッジ３０において、静止ブレード２２の複数の歯３６が設けられ得る。歯３６は、それぞれの歯スロットと交互になり得る。歯のスロットは、歯３６の間のギャップ（gaps）を画定する。毛切断機器１０が移動方向２８（図１）に毛を通って動かされるとき、毛がギャップに入り得る。
【００５５】
静止ブレード２２は、例えば、金属−プラスチック複合構成要素として構成され得る。言い換えれば、静止ブレード２２は、金属構成要素４０（図３も参照）を提供するステップと、金属構成要素４０を形成するステップ、より正確には、金属構成要素４０及びプラスチック構成要素３８を接合するステップを含むプラスチック構成要素３８を成形するステップと、を含み得る、多段製造方法から得られ得る。これは、特に、インサート成形プロセス、アウトサート成形プロセス又はオーバーモールドプロセスによって静止ブレード２２を形成することを含み得る。一般に、静止ブレード２２は２要素（two-component）静止ブレード２２と見なされ得る。静止ブレード２２は統合製造プロセス（integrated  manufacturing  process）で形成されることが好ましいので、基本的には、静止ブレード２２を形成するとき、従来の組立ステップは必要とされない。むしろ、統合製造プロセスは、ネットシェイプ（net-shape）製造ステップ、又は、少なくとも、ニアネットシェイプ（near-net-shape）製造プロセスを含み得る。例として、プラスチック構成要素３８を金属構成要素４０に接合することも含み得るプラスチック構成要素３８を成形することは、静止ブレード２２のニアネットシェイプ又はネットシェイプ形状を容易に画定し得る。特に、金属構成要素４０が板金で作られることが特に好ましい。プラスチック構成要素３８が射出成形可能なプラスチック材料から作られることが特に好ましい。
【００５６】
静止ブレード２２を異なる構成要素から形成すること、特に静止ブレード２２を一体に形成することは、作動中に高荷重に耐えなければならない部分が、それぞれ高強度材料（例えば、金属材料）から形成され得る一方、動作中に概して巨大な負荷にさらされない部分は、製造コストを大幅に低下させ得る異なる材料から形成され得るという利点をさらに有し得る。プラスチック−金属複合構成要素として静止ブレード２２を形成することは、皮膚接触がより快適であるとしてユーザによって経験され得るという利点をさらに有し得る。特に、プラスチック構成要素３８は、金属構成要素４０と比べて大幅に低下した熱伝導率を示し得る。その結果、毛を切る時にユーザによって感じられる熱放出は減少し得る。従来の毛髪切断機器では、発熱は、切断性能を向上させるための大きな障壁とみなされ得る。発熱は、基本的に、毛切断機器の出力及び／又は切断速度を制限する。基本的に断熱材料（例えば、プラスチック材料）を加えることによって、発熱スポット（例えば、切断エッジ）からユーザの皮膚への熱伝達は大幅に低減され得る。これは、特に、プラスチック材料で形成される静止ブレード２２の歯３６の先端に当てはまる。
【００５７】
静止ブレード２２を一体形成された金属−プラスチック複合部品として形成することは、追加の機能が静止ブレード２２の設計に組み込まれ得るという利点をさらに有し得る。言い換えると、静止ブレード２２は、追加の構成要素をそこに付着する又は取り付ける必要なしに、向上した機能性を提供し得る。
【００５８】
例として、静止ブレード２２のプラスチック構成要素３８は、いわゆる横方向側部プロテクタ（lateral  side  protector）とも見なされ得る横方向保護要素４２を備え得る。横方向保護要素４２は、静止ブレード２２の横方向端部（lateral  ends）を覆うことができ、図３も参照されたい。したがって、金属構成要素４０の比較的鋭い横方向端部での直接的な皮膚接触が防止されることができる。これは、静止ブレード２２の金属構成要素４０が、シェービング時に皮膚に近い毛を切断できるように比較的薄いので、特に有益であり得る。しかし、同時に、金属構成要素４０の比較的薄い構成は、シェービング中に皮膚表面上を摺動するときに皮膚刺激を引き起こす可能性がある。特に金属構成要素４０の皮膚接触部分は、実際には非常に薄く、比較的鋭いエッジが残ることがあるので、皮膚の刺激又は皮膚切りつけの危険性は、金属構成要素４０及び静止ブレード２２が実際より薄いほど高くなる。したがって、少なくとも幾つかの実施形態では、金属構成要素４０の横方向側部を遮蔽することが好ましい。横方向保護要素４２は、垂直方向又は高さ方向Ｚにおいて上面から突出し得る。少なくとも１つの横方向保護要素４２は、プラスチック構成要素３８の一体化された部分として形成され得る。
【００５９】
静止ブレード２２は、リンク機構（linkage  mechanism）５０への迅速な取り付け及び迅速な解放を可能にし得る取付要素４８をさらに備え得る。取付要素４８は、プラスチック構成要素３８に配置されることができ、特に、プラスチック構成要素３８と一体に形成されることができ、図３も参照されたい。取付要素４８は、取り付け突起、特にスナップオン（snap-on）取付要素を備え得る。取付要素４８は、リンク機構５０においてそれぞれの取付要素と協働するように構成され得る。ブレードセット２０が、さらなる別個の取付部材なしでリンク機構５０に取り付けられることができることが特に好ましい。
【００６０】
リンク機構５０（図２参照）は、毛切断機器１０のブレードセット２０及びハウジング１２を接続し得る。リンク機構５０は、毛を通って案内されるときブレードセット２０が動作中に旋回する（swivel）又は枢動することができるように構成され得る。リンク機構５０は、ブレードセット２０に輪郭追従能力を提供し得る。幾つかの実施形態では、リンク機構５０は４バーリンク機構として構成される。これは、ブレードセット２０の規定された旋回特性を可能にし得る。リンク機構５０は、ブレードセット２０のための仮想旋回軸を規定し得る。
【００６１】
図２はさらに、偏心結合機構５８を示す。偏心結合機構５８は、毛切断機器１０の駆動機構又はドライブトレーン１６の一部と見なされ得る。偏心結合機構５８は、回転駆動運動（図２に参照数字６４で示す湾曲した矢印を参照）を、静止ブレード２２に対するカッタ２４の往復運動に変換するように構成され得る。偏心結合機構５８は、軸６２周りの回転のために駆動されるように構成される駆動シャフト６０を有し得る。ブレードセット２２に面する駆動シャフト６０の前端部には、偏心部６６が設けられ得る。偏心部６６は、（中心）軸６２からオフセットされる円筒形部分を有し得る。駆動シャフト６０の回転の際に、偏心部分６６は軸６２の周りを回転し（revolve）得る。偏心部分６６は、カッタ２４に取り付けられ得る伝達部材７０と係合するように配置される。
【００６２】
さらに図３に示される分解図を参照して、伝達部材７０がさらに詳述される。伝達部材７０は、駆動シャフト６０の偏心部６６によって係合されるように構成され得る往復要素７２を含むことができ、図２も参照されたい。したがって、往復要素７２は駆動シャフト６０によって往復駆動され得る。伝達部材７０は、カッタ２４、特にその主部７８に接触するように構成され得るコネクタブリッジ７４をさらに有し得る。例として、コネクタブリッジ７４は、カッタ２４に接合され得る。接合は、はんだ付け、溶接及び類似のプロセスを含み得る。しかし、少なくとも幾つかの実施形態では、コネクタブリッジ７４又は伝達部材７０の同様の接続要素はむしろカッタ２４に取り付けられ得る。本明細書で使用されるとき、取り付けは、差し込み（plugging  in）、押し込み（pushing  in）、圧入（pressing  in）又は同様の取り付け動作を含み得る。伝達部材７０は、コネクタブリッジ７４に配置され得る取付要素７６をさらに有し得る。取付要素７６において、往復要素７２は、コネクタブリッジ７４に取り付けられ得る。例として、コネクタブリッジ７４及び取付要素７６は金属部品として構成され得る。例として、往復要素７２は、プラスチック部品として構成され得る。例えば、取付要素７６は、往復要素７２をコネクタブリッジ７４で固定するためのスナップオン要素を含み得る。しかし、代替では、取付要素７６は、往復要素７２がコネクタブリッジ７４に堅固に接合されるとき、往復要素７２のためのアンカー要素と見なされ得る。
【００６３】
これに関して、伝達部材７０が主に横方向の往復駆動運動をカッタ２４に伝達するように構成され得ることは言及する価値がある。しかし、伝達部材７０はさらに、ブレードセット２０におけるカッタ２４のための紛失防止装置（loss  prevention  device）として機能するように構成され得る。
【００６４】
図３はさらに、静止ブレード２２のプラスチック構成要素３８及び金属構成要素４０を分解した状態で示している。これに関連して、静止ブレード２２は一体的に形成されていることが好ましいので、そのプラスチック構成要素３８は、典型的には、孤立した唯一の状態のように存在しないことに言及する価値がある。むしろ、少なくとも幾つかの実施形態では、プラスチック構成要素３８を形成することは、必然的に、プラスチック構成要素３８を金属構成要素４０に堅固に接合させることを伴い得る。
【００６５】
静止ブレード２２は、カッタ２４が挿入され得る少なくとも１つの横方向開口部６８を含み得る。したがって、カッタは横方向Ｙに挿入され得る。しかし、少なくとも幾つかの実施形態では、伝動部材７０は、基本的に垂直方向Ｚに沿ってカッタ２４に移動させられ得る。従って、カッタ２４と伝達部材７０とを合わせる（Mating）ことは、まず、カッタ２４を静止ブレード２２の横方向開口部６８を通って挿入し、次に、カッタ２４が静止ブレード２２に配置されるとき、カッタ２４に接続されるように静止ブレード２２に対して垂直方向Ｚに沿って伝達部材を送る又は移動させることを含み得る。
【００６６】
概して、カッタ２４は、主部７８に隣接する少なくとも１つの歯付き先導エッジ８０を有し得る。特に、カッタ２４は、第１の先導エッジ８０ａと、第１の先導エッジ８０ａから長手方向にオフセットされた第２の先導エッジ８０ｂとを有し得る。少なくとも１つの先導エッジ８０において、複数の歯８２が形成されることができ、それらは歯スロットと交互になる。歯８２の各々は、特にそれらの横方向の側面（lateral  flanks）に、それぞれの切断エッジ８４を備え得る。カッタ２４の少なくとも１つの歯付き先導エッジ８０は、カッタ２４と静止ブレード２２との相対運動が誘発されるとき、静止ブレード２２のそれぞれの歯付き先導エッジ３０と協働するように配置され得る。その結果、静止ブレード２２の歯３６とカッタ２４の歯８２とが、毛を切断するために協働し得る。
【００６７】
第１の壁部１００の実質的な部分を形成する金属構成要素４０は、上面３２と、上面の反対側である底面３４とを含む。図３は、カッタ２４が少なくとも１つの間隔装置１４０を有利に備えることをさらに示す。図３に示す実施形態の場合と同様に、ブレードセット２０は、静止ブレード２２及びカッタ２４のそれぞれの先導エッジ３０ａ、３０ｂ及び８０ａ、８０ｂによって共同で画定される２つの先導エッジを備える。好ましくは、第１の間隔装置１４０ａは、第１の歯付き先導エッジ８０ａに付随し、第２の間隔装置１４０ｂは、カッタ２４の第２の歯付き先導エッジ８０ｂに付随する。間隔装置１４０は、上側又は上面１３４の反対側であるカッタ２４の底側又は底面１３６に設けられ、この点については、図１０も参照されたい。図３に示される実施形態の間隔装置１４０は、基本的に、カッタの横方向の広がり（Ｙ−広がり）全体にわたって延びる横方向に延びる間隔リッジ１５０を実現する。代替では、少なくとも１つのリッジ１５０は、カッタ２４の全体的な横方向の広がりの副部分（sub-portion）の上に延び得る。
【００６８】
特に図４乃至９を参照すると、静止ブレード２２の例示的な実施形態の構造及び構成がさらに詳述される。図４は、静止ブレード２２の部分上面図であり、金属構成要素４０（図５も参照）の隠れた部分が例示目的のために示されている。静止ブレード２２の歯３６には、先端８６が形成され得る。しかし、歯部３６の実質的な部分は、金属構成要素４０によって形成されてよい。図５から最もよく分かるように、金属構成要素４０は、歯３６の実質的な部分を形成し得るいわゆる歯ステム部分８８を有し得る。歯ステム部分８８は、カッタ２４の歯８２の切断エッジ８４と協働するように構成されるそれぞれの切断エッジ９４を備え得る。歯ステム部分８８の長手方向端部において、アンカー要素９０が配置され得る。アンカー要素９０は、金属構成要素４０及びプラスチック構成要素３８の接続をさらに強化し得るポジティブフィット接触要素と見なされ得る。
【００６９】
例として、アンカー要素９０は、アンダーカット（undercuts）又は凹部（recess  portions）を備え得る。その結果、アンカー要素９０は、かえしのある（barbed）アンカー要素として構成され得る。好ましくは、アンカー要素９０と接触するプラスチック構成要素３８のそれぞれの部分は、損傷を受けたりさらには破壊されたりすることなしに、金属構成要素４０から取り外される又は解放されることができない。言い換えると、プラスチック構成要素３８は、金属構成要素４０と密接に結合され得る。図５に示すように、アンカー要素９０には、凹部又は孔９２を備え得る。孔９２は、例えば、スロット孔として構成されてよい。プラスチック構成要素３８を成形するとき、プラスチック材料が孔９２に入り得る。図６及び８から最も良くわかるように、プラスチック材料は、アンカー要素９０の凹部又は孔９２を、両方の（垂直）側部から、すなわち上側及び底側から充填し得る。結果として、アンカー要素９０は、プラスチック構成要素３８によって完全に覆われ得る。
【００７０】
アンカー要素９０に隣接して、先端部８６が形成され得る。プラスチック構成要素３８から先端部８６を形成することは、先導エッジ３０の前端が、エッジを軟化させるようにさらに丸く又は面取りされ得る比較的柔らかい材料から形成されるという利点をさらに有し得る。その結果、ユーザの皮膚を先導エッジ３０の前端部に接触させることは、典型的には、皮膚刺激又は類似の有害作用を引き起こすとして経験されない。また、プラスチック構成要素３８は、典型的には、金属構成要素４０と比較して、比較的低い熱伝導係数を備えるので、高温スポットが先端部３６で防止され得る。
【００７１】
図６、７及び８の断面図から最もよく分かるように、先導エッジ３０の前端における歯３６の先端部８６のエッジは著しく丸くされている。さらに見ることができるように、歯３６の領域の上面３２における金属構成要素４０とプラスチック構成要素３８との間の移行部は、実質的に継ぎ目無し又は段差無しであり得る。この点に関して、図９がさらに参照される。アンカー要素９０の上側（皮膚に面する側）が上面３２からオフセットされるようにアンカー要素９０を成形することが有利であり得る。したがって、アンカー要素９０の皮膚に面する側も、プラスチック構成要素３８によって覆われることができ、図８も参照されたい。一実施形態では、アンカー要素９０は、上面３２に対して傾斜し得る。アンカー要素９０は、歯ステム部分８８に対して角度α（アルファ）に配置され得る。アンカー要素９０が上面３２に対して後方に曲げられることがさらに好ましくなり得る。少なくとも幾つかの実施形態では、アンカー要素９０は、歯のステム部分よりも薄くなり得る。これは、成形時にプラスチック構成要素３８によって充填され得る空間をさらに拡大し得る。
【００７２】
図６をさらに参照して、静止ブレード２２がさらに詳述される。静止ブレード２２は、カッタ２４のためのガイドスロット９６を画定するとともに取り囲み得る。この目的のために、静止ブレード２２は、第１の壁部１００及び第２の壁部１０２を有し得る。この開示の目的のために、第１の壁部１００は、皮膚に面する壁とみなされ得る。これは、特に、ブレードセット２０がシェービングに使用されるときに当てはまる。その結果、第２の壁部１０２は、皮膚から離れる方に面する壁と見なされ得る。言い換えると、第１の壁部１００は上壁とも称され得る。第２の壁部１０２は、底壁とも称され得る。
【００７３】
第１の壁部１００及び第２の壁部１０２は、静止ブレードの歯３６を共同で画定し得る。歯３６は、カッタ２４、特に少なくとも１つの歯付き先導エッジ８０に配置された歯８２のためのスロット又はギャップを有し得る。上述のように、第１の壁部１００の少なくとも実質的な部分は、金属構成要素４０によって形成され得る。第２の壁部１０２の少なくとも実質的な部分は、プラスチック構成要素３８によって形成され得る。図６に示される例示的な実施形態において、第２の壁部１０２は、プラスチック構成要素３８によって完全に形成される。逆に、第１の壁部１００は、プラスチック構成要素３８及び金属構成要素４０によって共同で形成される。これは、特に先導エッジ３０に当てはまる。第１の壁部１００は、そのそれぞれの歯部分に、接合部分１０６を有してよく、そこでは、プラスチック構成要素３８が金属構成要素４０に接合される。接合部分１０６は、金属構成要素４０のアンカー要素９０と、アンカー要素９０を覆うプラスチック構成要素３８のプラスチック材料とを含み得る。
【００７４】
図６及び図８は、図４の線ＶＩＩＩ−ＶＩＩＩも参照して、歯３６を通る断面を示している。対照的に、図７は、図４の線ＶＩＩ−ＶＩＩも参照して、歯スロットを通る断面を示している。図６及び図７から分かるように、第１の壁部１００および第２の壁部１０２は、歯３６を含む先導エッジ３０を共同で形成し得る。第１の壁部１００および第２の壁部１０２は、それぞれの歯３６の基本的にＵ字形状の横断面を共同で画定し得る。第１の壁部１００は、Ｕ字形状の第１の脚部１１０を画定し得る。第２の壁部１０２は、Ｕ字形状の第２の脚を画定し得る。第１の脚部１１０及び第２の脚部１１２は、歯３６の先端部８６で接続され得る。第１の脚部１１０と第２の脚部１１２との間には、カッタ２４のためのスロット又はギャップが設けられ得る。
【００７５】
図６からさらに分かるように、第１の壁部１００は、静止ブレード２２の第２の壁部１０２よりもかなり薄くなり得る。その結果、皮膚に面する第１の壁部１００において、毛は、皮膚の非常に近くで切断されることができる。従って、第１の壁部１００、特に金属構成要素４０の厚さを減少させることが望ましい。例として、金属構成要素４０の厚さｌｔｍ（図７参照）は、特に歯ステム部分８８において、約０．０８ｍｍ〜０．１５ｍｍの範囲であってよい。その結果、第１の壁部１００はそのようなものとして、かなり小さい強度及び剛性を呈し得る。したがって、第２の壁部１０２を追加することによって、第１の壁部１００をバックアップ又は強化することが有益である。第２の壁部１０２の厚さは、基本的に最小の達成可能な切断長さ（例えば、皮膚における残りの毛の長さ）に影響を及ぼさないので、第２の壁部１０２の厚さ、特にそれぞれの先導エッジ３０における厚さは、第１の壁部１００の、特に金属構成要素４０の厚さｌｔｍよりも著しく大きくてよい。これは、静止ブレード２２に十分な強度及び安定性をもたらし得る。
【００７６】
図６からさらに分かるように、第１の壁部１００及び第２の壁部１０２は、基本的に、横方向の広がりに沿って少なくとも断面的に、閉じた輪郭を形成し得る。これは、静止ブレード２２が第１及び第２の先導エッジ３０ａ、３０ｂを備えるときに、特に当てはまり得る。したがって、静止ブレード２２の剛性、特に曲げ応力及びねじり応力に対する剛性がさらに増加し得る。
【００７７】
１つの実施形態では、第２の壁部１０２は、それぞれの先導エッジ３０における第２の脚部１１２に隣接して、傾斜部分１１６を含み得る。静止ブレード２２が、垂直方向Ｚ及び横方向Ｙによって画定される中心平面に対して基本的に対称的に形成されることを仮定すると、第２の壁部１０２は、傾斜部分１１６に隣接する中央部分１１８をさらに有し得る。したがって、中央部分１１８は、第１の傾斜部分１１６と第２の傾斜部分１１６との間に配置され得る。第１の傾斜部分１１６は、第１の先導エッジ３０ａにおいてそれぞれの第２の脚部１１２に隣接して配置され得る。第２の傾斜部分１１６は、第２の先導エッジ３０ｂにおいてそれぞれの第２の脚部に隣接して配置され得る。したがって、図６で最もよくわかるように、第２の壁部１０２は、傾斜部分１１６及び中央部分１１８によって主に画定される基本的にＭ字形状の断面を有し得る。
【００７８】
説明の便宜のために、それぞれの間隔装置１４０を備えていないカッタ２４を有するブレードセット２０の２つの状態を示す図１０及び図１１がさらに参照される。図１０では、カッタ２４は、平面の又は平坦な状態とも称され得る基本的に付勢されていない状態で示されている。図１１では、カッタ２４は付勢された状態で示され、歯８２が設けられているカッタ２４の長手方向の端部が、第１の壁部１００から離れて曲下られる又は持ち上げられている。
【００７９】
図１０で最もよく見られるように、突出接触部１３０が第２の壁部１０２に設けられ得る。突出接触部１３０は、カッタ２４を第１の壁部１００、特にその金属構成要素４０との規定されたすきま嵌め接触（clearance  fit  contact）をさせるように、カッタ２４にその底面１３６で接触するように配置される。設計目的のために、底側のいわゆるガイドクリアランスｌｇｃ及びいわゆるアセンブリクリアランスｌａｃが、それぞれカッタ２４の底側及び上側に予め定められ得る。結果として、カッタ２４と静止ブレード２２との相対運動を単純化する結果として得られる規定された（全体的な）クリアランス又は遊びが提供される。この点において、特定の寸法のガイドクリアランスｌｇｃ及びアセンブリクリアランスｌａｃは、図１０の例示的な実施形態及び状態を説明するための例示目的で主に提供されており、限定的な意味で解釈されるべきではない。図１０にさらに見ることができるように、突出接触部に隣接して、第２の壁部１０２の内側に面する表面に凹部又は窪みを基本的に画定するギャップ部分１３２が設けられ得る。ギャップ部分１３２は、カッタ２４の歯８２の底側にギャップ又は空間を画定する。ギャップ部分１３２は、静止ブレードの歯３６の第２の脚部１１２に設けられ得る。
【００８０】
作動中、カッタ２４の歯８２の上側の切断エッジは、静止ブレード２２の歯３６の脚部１１０の対応する切断エッジと協働する。場合によっては、突出接触部１３０は、その周りでカッタ２４の歯付き先導エッジ８０が曲げられ得る支点を規定し得る。言い換えると、主に歯付き先導エッジ８０の歯８２の、カッタ２４の長手方向端部は、金属構成要素４０の底面３４から離れて持ち上げられ得る。これは、ある程度、毛を切断するときの切断力及び対応する反作用力、並びに切断及び除去されるのではなく、カッタ２４の歯８２と静止ブレード２２の歯３６との間に詰まる又は締め付けられる毛の部分に起因する。
【００８１】
図１１に示されるようなカッタ２４のたわめられた又は曲げられた状態を防止することが一般に好ましい。カッタ２４に曲げられた又は持ち上げられた部分１４４が設けられるとき、結果として生じるオフセットｌｒｏが規定され、これは実際、カッタ２４及び静止ブレード２２がもはやそれらの切断エッジで密着又は係合していないことを含む。その結果、ブレードセット２０の切断性能は著しく低下する可能性がある。結果として生じる曲げ寸法は、図１１においてｌｒｂによって示されている。寸法ｌｒｂは、カッタ２４の歯付き先導エッジ８０の結果として生じるたわみ又は変形を表す。この点で、曲げ寸法ｌｒｂ及びその結果生じるオフセットｌｒｏをもたらす特定の寸法は、図１１の例示的な実施形態及び状態を示すために、説明目的のために主に提供され、限定的な意味で解釈されるべきではないことに留意する価値がある。上述したように、幾つかの実施形態では、カッタ２４ではなく第１の壁部１００がたわめられ得る又は変形され得る。典型的には、第１の壁部１００及びカッタ２４の両方は、切断力によりブレードセットが作動されるとき、（互いに離れる方に）少なくともわずかにたわめられる。
【００８２】
本開示の少なくとも幾つかの実施形態によれば、間隔装置１４０が、多かれ少なかれ大きな湾曲部分又は持ち上げられた部分１４４を含むブレード２４のたわめられた状態又は歪んだ状態を防止するために、設けられる。
【００８３】
図１２乃至１６をさらに参照する。図１２、図１４、及び図１６は、ブレードセット２０を静止ブレード２２と一緒に規定するように静止ブレード２２のガイドスロット９６に挿入されるように配置される可動カッタブレード又はカッタ２４の実施形態の部分斜視上面図である。
【００８４】
図１２に示すように、カッタ２４の従来の構成は、基本的に平坦又は平面の形状を含み得る。より詳細には、ブレード２４は板金部分から得られ得る。主部又は中央部分７８が設けられることができ、それに隣接して、少なくとも１つの歯付き先導エッジ８０が配置される。先導エッジ８０は、静止ブレード２２の歯３６の対応する切断エッジと協働するように、それぞれの切断エッジ８４を備える複数の歯８２を有する。図１２に示すように、カッタ２４の従来の構成は、基本的に平坦な底側又は底面１３６を、すなわち隆起した間隔部品なしに、実現する。
【００８５】
対照的に、図１４及び１６に示すカッタ２４の実施形態は、それぞれの間隔装置１４０を備える。図１３及び図１４が参照される。図１３は、静止ブレード２２及び間隔装置１４０を備えるカッタ２４を含むブレードセット２０の部分断面側面図である。図１４に示すように、間隔装置１４０は、先導エッジ８０の歯８２に隣接して配置される間隔リッジ１５０を含む。言い換えると、間隔リッジ１５０は、そこから歯８２が長手方向Ｘに延びる歯基部１５２に隣接して配置される。隆起リッジ１５０の主延在部は、横方向Ｙと一致する。間隔リッジ１５０は歯８２に隣接するが、歯８２には配置されていないので、隣接する歯８２の間の歯８２及び対応する歯の空間の交互の順序への干渉がない。言い換えると、歯８２の切断エッジ８４は、リッジ１５０によって妨害されることが決してない。好ましくは、隆起リッジ１５０は、連続的に延びるリッジ１５０である。言い換えると、少なくとも幾つかの実施形態では、間隔リッジ１５０は、横方向の広がりにおいて中断又はギャップを含まない。しかし、間隔装置１４０が、カッタ２４の歯８２の長手方向の端部（又は、いわば、先端部）に隣接して、又はさらに可能な限り近接して配置されることが一般に好ましい。
【００８６】
図１３及び図１４に示すように、間隔リッジ１５０は、基本的に矩形の断面を有する。しかし、それぞれの構成は、主に説明のために提供されている。好ましくは、リッジ１５０は、丸みのある表面又は滑らかな表面を有する。したがって、静止ブレード２２の第２の壁部１０２との滑らかな接触が提供され、図１３も参照されたい。しかし、支配的な運動成分が、カッタ２４と静止ブレード２２との間の往復横方向相対運動であるため、丸められた又は滑らかな表面はそれぞれの場合において必要とされない。図１３からさらに分かるように、第２の壁部１０２のギャップ部分１３２は、間隔装置１４０により、基本的に空に保たれる。言い換えると、カッタ２４の歯８２は、第１の壁部１００に対して少なくともわずかに付勢され、したがって、第１の壁部１００から離れて持ち上げられる又は曲げられることが防止される。その結果、ギャップ部分１３２は、たわめられた歯８２によって、塞がれる又はブロックされない。したがって、切断された毛部分は、ギャップ部分１３２に収容され得る、又はギャップ部分１３２を介して除去／排出され得る。
【００８７】
図１５及び図１６を参照すると、隆起間隔装置１４０の代替実施形態が図示され、さらに説明される。例として、隆起間隔装置１４０は、複数の間隔要素１６０、特にドーム形状又はドームセグメント形状の間隔要素１６０を含む。さらに見ることができるように、間隔要素１６０は、先導エッジ８０の歯８２の前方の先端部に隣接して配置される。例えば、歯８２の各々は、先端部に隣接するそれぞれの間隔要素１６０が割り当てられ得る。幾つかの実施形態では、必ずしも各歯８２が間隔要素１６０を備える必要はない。
【００８８】
図１５は、間隔要素１６０がギャップ部分１３２で第２の壁部１０２と接触するように配置されていることを示している。しかし、ギャップ部分１３２は、間隔装置１４０がいわばその横方向の広がりの中で中断されているので、妨害されない。したがって、切断された毛部分は、ギャップ部分１３２に収容され、ブレードセット２０から横方向に除去又は排出され得る。間隔装置１４０、特に間隔リッジ１５０又は間隔要素１６０は、カッタ２４の底面１３６の基本的に平らな且つ平面の形状に対して隆起される。
【００８９】
図１７乃至２２を参照すると、カッタ２４の歯付き先導エッジ８０に、又はこれに隣接して、間隔装置１４０を製造する又は形成するための例示的なアプローチが示されている。図１７及び図１８は、隆起間隔装置１４０が、カッタの底面１３６での材料堆積によって形成される実施形態を説明する。図１９及び図２０は、隆起間隔装置１４０が、別個の部品又は別個の部品（複数）を底面１３６に接合することによって得られる実施形態を示す。
【００９０】
図２１及び図２２は、隆起間隔装置１４０が、その底面１３６にそれぞれの隆起を形成するように、カッタ２４の基本的に平坦な形状を変形させることによって得られる実施形態を示す。図１７乃至図２２は、カッタ２４の単純化された概略部分断面側面図であり、断面は、図１７乃至図２２に示された歯８２が断面の一部を形成しないように、スロット部分において、配向されている。むしろ、主にそこから歯付き先導エッジ８０及び特に歯８２が延びるそれぞれの主部７８が、断面状態で示されている。
【００９１】
図１７は、図１６の構成と同様のカッタ２４の構成を示す。同様に、間隔要素１６０が歯８２に配置されている。例として、堆積溶接（deposition  welding）ツール１５６又は同様の材料堆積ツールが、歯８２の底面１３６に材料を堆積させるように提供され得る。この方法では、底面１３６のレベル（高さ）に対する隆起したレベルｌｅｌが得られ得る。したがって、間隔装置１４０におけるカッタ２４の全体的な高さは、カッタｈｃの高さ（カッタ２４が作られる板金材料の厚さに対応する）及び隆起レベルｌｅｌの高さによって規定され得る。結果として、歯８２は、第２の壁部１０２から、特にギャップ部分１３２から十分に離間され得る。さらなる結果として、カッタ２４の、特にその歯８２の上面１３４は、静止ブレード２２の第１の壁部１００、特に歯３６の第１の脚部１１０と密接させられることができ、例えば、図１５も参照されたい。
【００９２】
同様に、図１８に示すように、リッジ形状間隔装置１４０も、材料堆積ツール１５６、特に堆積溶接ツールを用いた上面１３６の材料を堆積により得られ得る。堆積された材料の対応するリッジ１５０は、カッタ２４の歯基部１５２に隣接して配置され得る。リッジ１５０は、基本的に連続的な様式で横方向Ｙに基本的に延び得る。代替では、リッジ１５０は、中断されてよい、すなわち、横方向Ｙに不連続な様式で延びる。
【００９３】
図１９は、図１７の配置と同様のカッタ２４の配置を示している。図１７の実施形態と同様に、複数の間隔要素１６０が形成されることができ、その各々は歯８２に付随している。このために、１つ又は複数の別個の間隔部品１６６が設けられることができ、カッタ２４の底面１３６に接合されることができる。さらに、接合ツール１５８、例えば、溶接又ははんだ付けツールが使用され得る。これに対応して、接合ゾーン又はスポット１６２が、１つ又は複数の別個の間隔部品１６６をカッタ２４に固定して取り付けるために、形成され得る。
【００９４】
図２０のカッタ２４の実施形態は、基本的に図１８のカッタ２４の実施形態に対応する。同様に、間隔装置１４０は、歯基部１５２に隣接して配置される隆起間隔リッジ１５０を含む。例えば、細長いロッド又はタブが設けられることができ、これは、別個の間隔部品１６６と呼ばれ得る。接合ツール１５８の使用により、別個の間隔部品１６６は底面１３６に固定して取り付けられ得る。対応する接合ゾーンは、図２０において参照数字１５４で示されている。
【００９５】
図２１及び図２２は、本開示の少なくとも幾つかの態様による隆起間隔装置１４０を実施するカッタ２４の実施形態を示し、そこでは、別個の部品又は別個の材料がカッタ２４の基本的に平坦な中間形態に堆積されない又は取り付けられない。むしろ、図２１及び図２２の隆起間隔装置１４０は、その基本的に平坦な平面形状を変形させることによって得られる。この方法ではまた、底面１３６に対する間隔装置１４０の結果として生じる隆起したレベルｌｅｌが得られ得る。
【００９６】
図２１では、基本的に隆起間隔装置１４０に対応する窪んだ装置１７０が設けられている。言い換えると、窪んだ装置１７０は、上面１３４における凹部又は窪み１７２から構成される。これに対応して、隆起リッジ様形状が底面１３６に形成されることができ、これは、図２１に示すようなカッタ２４の実施形態の隆起間隔装置１４０を最終的に形成する。図２１にさらに示すように、隆起間隔リッジ１５０は、それぞれの変形ツール１７４、特にコイニング又はスタンピングツール１７４を適用することによって形成され得る。好ましくは、ツール１７４は、底面１３６において所望のリッジ１５０に対応する凹部又は窪み１７２を形成するように、カッタ２４にその上面１３４で係合する。したがって、隆起間隔装置１４０は、リブ付け、スタンピング、コイニング又はビーディング（beading）又は類似の材料形成プロセスによって得られ得る。同様に、歯８２における隆起間隔要素１６０のような隆起スポットも、パンチスパイク（punch  spikes）又は同様のスポット形成ツールで形成され得る。一般に、永久（塑性）変形又は変位が、隆起間隔装置１４０を画定するために、引き起こされ得る。
【００９７】
図２２は、少なくとも１つの屈曲タブ（bent  tab）１８０を有する間隔装置１４０の別の代替実施形態を示す。好ましくは、複数の屈曲タブ１８０が設けられ、これらのそれぞれは、隣接する歯８２の間に配置される。曲げ方向は、図２２に参照数字１８２で示されている。カッタ２４の平坦部分を規定された様式で曲げることにより、底面１３６に対する間隔装置１４０の望ましい結果として生じる隆起レベルｌｅｌが得られ得る。言うまでもなく、屈曲タブ１８０は、湾曲した、丸い又は滑らかな表面を得るためにさらに加工され得る。
【００９８】
本発明は、図面及び前述の説明において詳細に図示および説明されてきたが、そのような図示及び説明は、説明的又は例示的であって制限的ではないとみなされるべきであり、本発明は開示された実施形態に限定されない。開示された実施形態に対する他の変更は、図面、開示、及び添付の特許請求の範囲の研究から、請求項に記載された発明を実施する際に当業者によって理解され、達成され得る。
【００９９】
特許請求の範囲において、「有する、含む（comprising）」という単語は他の要素又はステップを排除するものではなく、不定冠詞“a”又は“an”は複数を除外しない。単一の要素又は他のユニットは、特許請求の範囲に記載された幾つかのアイテムの機能を果たし得る。特定の手段が相互に異なる従属請求項に列挙されているという単なる事実は、これらの手段の組み合わせが有利に使用できないことを示すものではない。
【０１００】
特許請求の範囲におけるいかなる参照符号も、範囲を限定するものとして解釈されるべきではない。
【図１】
2018518219.tif 000003
【図２】
2018518219.tif 000004
【図３】
2018518219.tif 000005
【図４】
2018518219.tif 000006
【図５】
2018518219.tif 000007
【図６】
2018518219.tif 000008
【図７】
2018518219.tif 000009
【図８】
2018518219.tif 000010
【図９】
2018518219.tif 000011
【図１０】
2018518219.tif 000012
【図１１】
2018518219.tif 000013
【図１２】
2018518219.tif 000014
【図１３】
2018518219.tif 000015
【図１４】
2018518219.tif 000016
【図１５】
2018518219.tif 000017
【図１６】
2018518219.tif 000018
【図１７】
2018518219.tif 000019
【図１８】
2018518219.tif 000020
【図１９】
2018518219.tif 000021
【図２０】
2018518219.tif 000022
【図２１】
2018518219.tif 000023
【図２２】
2018518219.tif 000024
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
切断機器のためのブレードセットであって、前記ブレードセットは、毛を切断するために移動方向に毛を通って動かされるように構成され、前記ブレードセットは：
−  静止ブレードであって、前記静止ブレードは、動作しているとき皮膚に面する壁として機能するように配置される第１の壁部と、第２の壁部であって、前記第１の壁部及び前記第２の壁部がその間にカッタを受け入れるように構成されるガイドスロットを画定するよう、前記第１の壁部から少なくとも部分的にオフセットされる、第２の壁部と、前記第１の壁部及び前記第２の壁部によって共同で形成される少なくとも１つの歯付き先導エッジと、を有し、前記少なくとも１つの歯付き先導エッジは複数の歯を有し、前記第１の壁部及び前記第２の壁部は、前記少なくとも１つの歯付き先導エッジの前端において接続され、それによって前記歯の先端部を形成する、静止ブレード；並びに
−  カッタであって、前記カッタは、主部、特に板金材料から得られる実質的に平らな主部と、前記主部から突出する少なくとも１つの歯付き先導エッジと、を有し、前記少なくとも１つの歯付き先導エッジは複数の歯を有し、前記カッタは、前記カッタと前記静止ブレードとの間の相対運動に際し、前記カッタの前記少なくとも１つの歯付き先導エッジが、前記静止ブレードの対応する歯と、切断動作でそれらの間に捕えられる毛の切断を可能にするよう協動するように、前記静止ブレードによって画定される前記ガイドスロット内に移動可能に配置される、カッタ、
を有し、
前記カッタは、前記切断機器が動作しているとき、前記皮膚に面する側部又は表面である上側又は上面と、前記上側から離れた方に面するとともに前記切断機器が動作しているときに前記皮膚から離れた方に面する側部又は表面である底側又は底面と、を有し、
前記カッタは、前記第２の壁部に面するその底側に、前記少なくとも１つの歯付き先導エッジに付随する隆起間隔装置を有し、前記間隔装置は、前記カッタの前記少なくとも１つの歯付き先導エッジの実質的に平らな底面を前記第２の壁部から離間させるように構成され、
前記隆起間隔装置は、前記カッタの前記底面の基本的に平らな且つ平面の形状に対して隆起される、
ブレードセット。
【請求項２】
前記隆起間隔装置は、前記カッタの前記底面に対して隆起されるとともに、前記静止ブレードの前記第２の壁部にくぼんだギャップ部分に関連付けられるその一部で、前記カッタのそれぞれの前記歯を前記くぼんだギャップ部分から離間させるよう、接触するように配置される、
請求項１に記載のブレードセット。
【請求項３】
前記ギャップ部分は、前記少なくとも１つの歯付き先導エッジの近くの前記第２の壁部の前記ガイドスロットに形成され、前記隆起間隔装置は、前記ギャップ部分で又は前記ギャップ部分に隣接して前記第２の壁部に接触するように配置される、
請求項２に記載のブレードセット。
【請求項４】
前記ギャップ部分は、少なくとも部分的に凹形に形成された内部窪みであり、前記ギャップ部分は、前記ガイドスロットと中に取り付けられる前記カッタの前記少なくとも１つの歯付き先導エッジとの間に残留ギャップを提供するように構成され、前記ギャップ部分は、毛、特に切断された毛部分を収容するように適合される、
請求項２又は３に記載のブレードセット。
【請求項５】
前記隆起間隔装置は、前記カッタの前記少なくとも１つの歯付き先導エッジの上面を、前記第１の壁部と、特に、前記静止ブレードの前記歯の脚部と、密接するよう付勢するように構成される、
請求項１乃至４のいずれか１項に記載のブレードセット。
【請求項６】
前記隆起間隔装置は、前記カッタの前記少なくとも１つの歯付き先導エッジの後方たわみを防ぐように構成される、
請求項１乃至５のいずれか１項に記載のブレードセット。
【請求項７】
前記隆起間隔装置は、膨らんだ形状又はドーム形状である、
請求項１乃至６のいずれか１項に記載のブレードセット。
【請求項８】
前記隆起間隔装置は、前記カッタの前記底面から突出する隆起した横方向に延びる間隔リッジ、好ましくは連続的な隆起した横方向に延びる間隔リッジを有し、前記横方向に延びる間隔リッジは、前記カッタのそれぞれの前記歯の歯基部に隣接して配置され且つ前記静止ブレードの前記第２の壁部に接触するように適合される、
請求項１乃至７のいずれか１項に記載のブレードセット。
【請求項９】
前記隆起間隔装置は、前記カッタの前記歯付き先導エッジにおける予め設定されたピッチに適合される一連の隆起間隔要素を有し、前記隆起間隔要素は、前記カッタの前記底面から突出し、前記隆起間隔要素は、前記静止ブレードの前記第２の壁部と接触するように適合される、
請求項１乃至８のいずれか１項に記載のブレードセット。
【請求項１０】
前記隆起間隔要素は、前記カッタの前記歯に配置され、前記隆起間隔要素のそれぞれは、それぞれの前記歯に割り当てられる、
請求項９に記載のブレードセット。
【請求項１１】
前記静止ブレードは、一体成形金属−プラスチック複合静止ブレードであり、前記第１の壁部は、金属材料から少なくとも部分的に作られ、前記第２の壁部は、プラスチック材料から少なくとも部分的に作られる、
請求項１乃至１０のいずれか１項に記載のブレードセット。
【請求項１２】
第１の先導エッジ及び第２の先導エッジが設けられ、前記第１の先導エッジ及び前記第２の先導エッジのそれぞれは、前記カッタ及び前記静止ブレードのそれぞれの前記第１及び前記第２の先導エッジによって共同で形成され、前記第１の先導エッジ及び前記第２の先導エッジは、互いに離間され且つ前記ブレードセットの対向する長手方向端部に配置され、第１の隆起間隔装置が前記第１の先導エッジに付随し、第２の隆起間隔装置が前記第２の先導エッジに付随する、
請求項１乃至１１のいずれか１項に記載のブレードセット。
【請求項１３】
凹構成が、前記底面の反対側である前記カッタの上面に設けられ、前記凹構成及び前記隆起間隔装置は、対応する様式で一体に形成される、
請求項１乃至１２のいずれか１項に記載のブレードセット。
【請求項１４】
前記隆起間隔装置は、前記カッタの前記底面における材料堆積によって、特に堆積溶接によって形成される、
請求項１乃至１２のいずれか１項に記載のブレードセット。
【請求項１５】
前記隆起間隔装置は、少なくとも１つの別個の間隔部品を前記カッタに接合することによって形成される、
請求項１乃至１２のいずれか１項に記載のブレードセット。
【手続補正２】
【補正対象書類名】明細書
【補正対象項目名】００１０
【補正方法】変更
【補正の内容】
【００１０】
本開示の第１の態様によれば、切断機器のためのブレードセットが提示され、前記ブレードセットは、毛を切断するために移動方向に毛を通って動かされるように構成され、前記ブレードセットは：
−  静止ブレードであって、動作しているとき皮膚に面する壁として機能するように配置される第１の壁部と、第２の壁部であって、第１の壁部及び第２の壁部がその間にカッタを受け入れるように構成されるガイドスロットを画定するよう、第１の壁部から少なくとも部分的にオフセットされる、第２の壁部と、第１の壁部及び第２の壁部によって共同で形成される少なくとも１つの歯付き先導エッジと、を有し、少なくとも１つの歯付き先導エッジは複数の歯を有し、第１の壁部及び第２の壁部は、少なくとも１つの歯付き先導エッジの前端において接続され、それによって歯の先端部を形成する、静止ブレード；並びに
−  カッタであって、主部、特に板金材料から得られる実質的に平らな主部と、主部から突出する少なくとも１つの歯付き先導エッジと、を有し、少なくとも１つの歯付き先導エッジは複数の歯を有し、カッタは、カッタと静止ブレードとの間の相対運動に際し、カッタの少なくとも１つの歯付き先導エッジが、静止ブレードの対応する歯と、切断動作でそれらの間に捕えられる毛の切断を可能にするよう協動するように、静止ブレードによって画定される前記ガイドスロット内に移動可能に配置される、カッタ、
を有し、
カッタは、第２の壁部に面するその底側に、少なくとも１つの歯付き先導エッジに付随する隆起間隔装置（elevated  spacing  arrangement）を有し、間隔装置は、カッタの少なくとも１つの歯付き先導エッジの実質的に平らな底面を第２の壁部から離間させるように構成される。隆起間隔装置は、カッタの底面の基本的に平らな且つ平面の形状に対して隆起される。
本明細書で使用されるとき、カッタは可動カッタブレードと称されることがある。本明細書で使用されるとき、第１の壁部は、第１の壁部分と称されることがある。本明細書で使用される場合、第２の壁部は第２の壁部分と称されることがある。本明細書で使用されるとき、上側又は上面は、一般に、毛切断機器が動作しているとき、皮膚に面する側部又は表面と見なされることができる。その結果、底側又は底面は、切断機器が動作しているときに、上側から離れる方に面し且つ皮膚から離れる方に面する側部又は面と見なすことができる。
【手続補正３】
【補正対象書類名】明細書
【補正対象項目名】００１３
【補正方法】削除
【補正の内容】
【国際調査報告】
2018518219.tif 000025
2018518219.tif 000026